(57)【要約】【課題】従来のオスコネクタとＩＳＯ８０３６９−３に準拠したオスコネクタとを接続する。【解決手段】ダブルメスコネクタ１は、一端に第１オスルアー６０が挿入される第１挿入部１０を備え、他端に第２オスルアー７０が挿入される第２挿入部２０を備える。第１挿入部と第２挿入部とは連通している。第１挿入部の内周面は、先端側が拡径した第１テーパ面１２であり、第２挿入部の内周面は、先端側が拡径した第２テーパ面２２である。第２挿入部の外周面には雄ネジ２６が形成されている。第１挿入部はゴム弾性を有する軟質材料からなる。【選択図】図１
2015051094.tif 000002
【特許請求の範囲】
【請求項１】
一端に第１オスルアーが挿入される第１挿入部を備え、他端に第２オスルアーが挿入される第２挿入部を備え、前記第１挿入部と前記第２挿入部とが連通したダブルメスコネクタであって、
前記第１挿入部の内周面は、先端に近づくにしたがって内径が大きくなる第１テーパ面であり、
前記第２挿入部の内周面は、先端に近づくにしたがって内径が大きくなる第２テーパ面であり、
前記第２挿入部の外周面には、雄ネジが形成されており、
前記第１挿入部は、ゴム弾性を有する軟質材料からなることを特徴とするダブルメスコネクタ。
【請求項２】
前記第２挿入部及び前記雄ネジは、硬質材料からなる請求項１に記載のダブルメスコネクタ。
【請求項３】
その全体がゴム弾性を有する軟質材料からなる請求項１に記載のダブルメスコネクタ。
【請求項４】
前記第２挿入部の前記第２テーパ面と前記雄ネジとは、ＩＳＯ８０３６９−３に準拠している請求項１〜３のいずれかに記載のダブルメスコネクタ。
【請求項５】
全体が一部品として一体的に形成されている請求項１〜４のいずれかに記載のダブルメスコネクタ。
【請求項６】
前記第１挿入部と前記第２挿入部との間に、外方向に突出したフランジが形成されている請求項１〜５のいずれかに記載のダブルメスコネクタ。
【発明の詳細な説明】
【技術分野】
【０００１】
本発明は、オスルアーが挿入される挿入部を両端に備えたダブルメスコネクタに関する。特に、経腸栄養療法などにおいて使用される２つのチューブの末端のオスコネクタ同士を接続するために使用されるダブルメスコネクタに関する。
【背景技術】
【０００２】
経口によらずに患者に栄養や薬剤を投与する方法として経腸栄養療法が知られている。経腸栄養療法では、患者の鼻腔から胃又は十二指腸にまで挿入された経鼻カテーテル又は患者の腹に形成された胃ろうに挿入されたＰＥＧ（Percutaneous Endoscopic Gastrostomy）カテーテルを介して栄養剤、流動食、又は薬剤などの液状物（一般に「経腸栄養剤」と呼ばれる）が患者に投与される。患者に投与される液状物は、容器に貯留される。容器の流出ポートには、柔軟性を有するチューブからなる栄養セットが接続される。栄養セットの下流側端は、患者に挿入された経鼻カテーテル又はＰＥＧカテーテル（以下、これらを総称して「カテーテル」という）の上流側端に接続される。一般に、栄養セットの下流側端には、オスコネクタが設けられている。一方、カテーテルの上流側端には、当該オスコネクタと接続可能なメスコネクタが設けられている。オスコネクタ及びメスコネクタとしては、様々な形状のものが実際に使用されている（例えば特許文献１参照）。
【０００３】
ところで、経腸栄養療法において投与された液状物が低粘度の液体であると、液状物が胃から食道に逆流して肺炎を併発したり、液状物の水分が体内で十分に吸収されないために下痢したりする等の問題がある。そこで、経腸栄養療法では、液状物を、トロミ剤や増粘剤を加える等して高粘度化（即ち、半固形化）させることが多い。このような高粘度化した液状物は、流動性が低いので、チューブを通過する際の抵抗が大きい。従って、液状物を患者に投与する際には、液状物は圧力を加えて圧送される。
【０００４】
そのため、栄養セットとカテーテルとを接続するコネクタは、液状物に印加される圧力に耐えることができるように、互いに係合し合うロック機構を備えることが望まれる。そこで、このような用途に使用されるオスコネクタ及びメスコネクタが栄養系の医療機器に関する国際規格ＩＳＯ８０３６９−３として国際標準化することが検討されている。図５Ａ及び図５Ｂに示すように、ＩＳＯ８０３６９−３として検討されているオスコネクタ９０１は、筒状のオスルアー９１０を取り囲む雌ネジ９１６を有する。一方、図６Ａ及び図６Ｂに示すように、ＩＳＯ８０３６９−３として検討されているメスコネクタ９０２は、オスルアー９１０が挿入される円筒状の挿入部（メスルアー）９２０の外周面に雄ネジ９２６を有する。オスコネクタ９０１とメスコネクタ９０２とは、オスルアー９１０を挿入部９２０に挿入し、且つ、雌ネジ９１６と雄ネジ９２６とを螺合させることにより接続される。オスコネクタ９０１とメスコネクタ９０２とは、液密性（液状物に圧力を加えてもオスコネクタとメスコネクタとの接続部分から液状物が漏れ出さない性質）と接続強度（接続されたオスコネクタとメスコネクタとが引張り力を加えても分離しない性質）に優れた接続を提供する。
【０００５】
このようなオスコネクタ９０１及びメスコネクタ９０２が国際規格として採用されれば、メスコネクタ９０２を下流側端に設けた栄養セット、及び、オスコネクタ９０１を上流側端に設けたカテーテルが、実用化される可能性が高い。
【先行技術文献】
【特許文献】
【０００６】
【特許文献１】国際公開第２００８／１５２８７１号パンフレット
【発明の概要】
【発明が解決しようとする課題】
【０００７】
しかしながら、ＩＳＯ８０３６９−３が国際規格化された後も、実際の医療の現場では、ＩＳＯ８０３６９−３に準拠しない、従来のオスコネクタを備えた栄養セットが依然として使用され続ける場合があると予想される。従って、従来のオスコネクタを下流側端に備えた栄養セットと、ＩＳＯ８０３６９−３に準拠したオスコネクタを上流側端に備えたカテーテルとを接続することが要望される。
【０００８】
本発明は、従来のオスコネクタとＩＳＯ８０３６９−３に準拠したオスコネクタとを接続することができるダブルメスコネクタを提供することを目的とする。
【課題を解決するための手段】
【０００９】
本発明のダブルメスコネクタは、一端に第１オスルアーが挿入される第１挿入部を備え、他端に第２オスルアーが挿入される第２挿入部を備える。前記第１挿入部と前記第２挿入部とが連通している。前記第１挿入部の内周面は、先端に近づくにしたがって内径が大きくなる第１テーパ面（円錐面）である。前記第２挿入部の内周面は、先端に近づくにしたがって内径が大きくなる第２テーパ面（円錐面）である。前記第２挿入部の外周面には、雄ネジが形成されている。前記第１挿入部は、ゴム弾性を有する軟質材料からなる。
【発明の効果】
【００１０】
本発明によれば、第１挿入部に従来のオスルアーを備えるオスコネクタを接続し、且つ、第２挿入部及び雄ネジにＩＳＯ８０３６９−３に準拠したオスコネクタを接続することができる。従って、例えば、従来のオスコネクタを下流側端に備えた栄養セットと、ＩＳＯ８０３６９−３に準拠したオスコネクタを上流側端に備えたカテーテルとを、本発明のダブルメスコネクタを介して接続することができる。
【００１１】
第１挿入部がゴム弾性を有する軟質材料からなるので、第１挿入部に第１オスルアーを挿入すると、第１挿入部は適宜伸び変形する。これは、液密性及び接続強度の向上に有利である。また、第１オスルアーの寸法許容誤差の拡大や第１挿入部に接続可能な第１オスルアーの種類数の豊富化に有利である。更に、意図しない外力を第１挿入部が変形して吸収するので、外力によって、２挿入部の雄ネジの螺合が緩んだり、ダブルメスコネクタや第１及び第２オスコネクタが破損したりする可能性が低減する。
【図面の簡単な説明】
【００１２】
【図１】図１Ａは、本発明の一実施形態にかかるダブルメスコネクタの第１挿入部側から見た斜視図である。図１Ｂは、当該ダブルメスコネクタの第２挿入部側から見た斜視図である。図１Ｃは、当該ダブルメスコネクタの断面図である。
【図２】図２Ａは、本発明の一実施形態にかかるダブルメスコネクタの第１挿入部に接続される第１オスコネクタの斜視図である。図２Ｂは、当該第１オスコネクタの中心軸を含む面に沿った断面図である。
【図３】図３Ａは、本発明の一実施形態にかかるダブルメスコネクタの第２挿入部に接続される第２オスコネクタの斜視図である。図３Ｂは、当該第２オスコネクタの中心軸を含む面に沿った断面図である。
【図４】図４Ａ〜図４Ｃは、本発明の一実施形態にかかるダブルメスコネクタを介して第１オスコネクタと第２オスコネクタとを接続する過程を順に示した斜視図である。
【図５】図５Ａは、ＩＳＯ８０３６９−３として検討されているオスコネクタの斜視図である。図５Ｂは、当該オスコネクタの中心軸を含む面に沿った断面図である。
【図６】図６Ａは、ＩＳＯ８０３６９−３として検討されているメスコネクタの斜視図である。図６Ｂは、当該メスコネクタの中心軸を含む面に沿った断面図である。
【発明を実施するための形態】
【００１３】
上記の本発明のダブルメスコネクタにおいて、前記第２挿入部及び前記雄ネジは、硬質材料からなることが好ましい。これにより、第２挿入部と第２オスルアーとを、ＩＳＯ８０３６９−３のオスコネクタ９０１とメスコネクタ９０２との接続と同等の液密性及び接続強度で接続することができる。
【００１４】
あるいは、本発明のダブルメスコネクタの全体がゴム弾性を有する軟質材料で構成されていてもよい。これにより、ダブルメスコネクタ全体を一体的に作成することが容易になる。
【００１５】
前記第２挿入部の前記第２テーパ面と前記雄ネジとは、ＩＳＯ８０３６９−３に準拠していることが好ましい。これにより、本発明のダブルメスコネクタとＩＳＯ８０３６９−３に準拠したオスコネクタとを、ＩＳＯ８０３６９−３にしたがって接続することができる。
【００１６】
前記ダブルメスコネクタは、全体が一部品として一体的に形成されていることが好ましい。これにより、ダブルメスコネクタの作成が容易になる。また、ダブルメスコネクタの強度や耐久性が向上する。
【００１７】
前記第１挿入部と前記第２挿入部との間に、外方向に突出したフランジが形成されていてもよい。これにより、本発明のダブルメスコネクタと第１オスルアーを備えた第１オスコネクタ及び第２オスルアーを備えた第２オスコネクタとの接続作業及び分離作業が容易になる。
【００１８】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の部材を備え得る。以下の各図では、実際の部材の寸法および各部材の寸法比率等が忠実に表されていない。
【００１９】
＜ダブルメスコネクタの構成＞
図１Ａ及び図１Ｂは、本発明の一実施形態のかかるダブルメスコネクタ１の斜視図である。図１Ｃは、ダブルメスコネクタ１の断面図である。図１Ｃにおいて、一点鎖線１ａはダブルメスコネクタ１の中心軸である。
【００２０】
ダブルメスコネクタ１は、一端に第１オスルアー６０（後述する図２Ａ参照）が挿入される円筒状の第１挿入部１０を備え、他端に第２オスルアー７０（後述する図３Ａ参照）が挿入される円筒状の第２挿入部２０を備える。ダブルメスコネクタ１は、両端がメスコネクタであるメス−メスコネクタである。
【００２１】
第１挿入部１０の内周面は、その先端に近づくにしたがって内径が大きくなるテーパ面（第１テーパ面）１２である。第１テーパ面１２の形状（内径、テーパ角度など）は、制限はないが、例えば後述するオスルアー６０（図２Ａ参照）に適合する従来のメスコネクタと互換性を有することが好ましい。
【００２２】
本実施形態では、第１挿入部１０の外周面も、第１テーパ面１２と略同一のテーパ角度を有するテーパ面である。但し、本発明では、第１挿入部１０の外周面の形状は任意である。例えば、第１テーパ面１２とテーパ角度が異なるテーパ面であってもよく、あるいは、外径が中心軸１ａ方向において一定であってもよい。また、中心軸１ａに垂直な面に沿った外周面の断面形状は円形である必要はなく、例えば正多角形などの任意の形状であってもよい。更に、外周面に滑り防止のための凸部（点状突起、リブ状突起など）や凹部（点状凹部、溝など）などの凹凸形状が形成されていてもよい。
【００２３】
第２挿入部２０の内周面も、その先端に近づくにしたがって内径が大きくなるテーパ面（第２テーパ面）２２である。挿入部２０の外周面には雄ネジ２６が形成されている。テーパ面２２の形状（内径、テーパ角度など）及び雄ネジ２６の形状（径、ピッチなど）は、制限はないが、ＩＳＯ８０３６９−３のメスコネクタ（図６Ａ、図６Ｂ参照）に準拠していることが好ましい。本実施形態では、雄ネジ２６は、挿入部２０の外周面の周方向の全領域に形成されているが、図６Ａの雄ネジ９２６と同様に挿入部２０の外周面の周方向の一部のみに形成されていてもよい。このように、雄ネジ２６が周方向に分断されていると、雄ネジ２６の不連続部分を利用して雄ネジ２６の清掃を容易に行うことができる。
【００２４】
第１挿入部１０と第２挿入部２０との間に、半径方向に沿って外向きに突出したフランジ３０が形成されている。フランジ３０の外径は、第１挿入部１０のフランジ３０に隣り合う部分の外径より大きく、且つ、第２挿入部２０の雄ネジ２６の外径よりも大きい。フランジ３０を把持することにより、後述するダブルメスコネクタ１と第１オスコネクタ６及び第２オスコネクタ７との接続作業が容易になる。本実施形態では、フランジ３０の外周面は円筒面である。但し、フランジ３０を把持した時の滑りを防止するために、フランジ３０の外周面が正多角柱面（例えば、正三角柱面、正四角柱面、正六角柱面など）であってもよく、あるいは、フランジ３０の外周面に凸部（点状突起、リブ状突起など）や凹部（点状凹部、溝など）などの凹凸形状が形成されていてもよい。なお、フランジ３０が省略され、第１挿入部１０と第２挿入部２０とが直接接続されていてもよい。
【００２５】
流路９が、中心軸１ａに沿ってダブルメスコネクタ１を貫通している。この結果、第１挿入部１０と第２挿入部２０とは、流路９を介して互いに連通している。
【００２６】
第１挿入部１０は、ゴム弾性を有する軟質材料（一般にエラストマーとも呼ばれる）からなる。本発明において「ゴム弾性有する軟質材料」とは、第１挿入部１０に第１オスルアー６０（後述する図２Ａ参照）を挿入したときに、第１オスルアー６０の形状に応じて第１挿入部１０が周方向に弾性的に延伸し拡径することができる柔軟性を有する材料を意味する。このようなゴム弾性を有する軟質材料としては、制限はないが、例えば、天然ゴム、イソプレンゴム、シリコーンゴム等のゴムや、スチレン系エラストマー、オレフィン系エラストマー、ポリウレタン系エラストマー等の熱可塑性エラストマーを用いることができる。
【００２７】
一方、第２挿入部２０（雄ネジ２６を含む）は、実質的に変形しないとみなしうる程度の高い剛性を有する硬質材料からなる。硬質材料としては、制限はないが、例えば、ポリアセタール、ポリカーボネート、ポリスチレン、ポリアミド、ポリプロピレン、ポリエチレン、硬質ポリ塩化ビニル、ＡＢＳ（アクリル−ブタジエン−スチレン共重合体）等の樹脂材料を用いることができる。
【００２８】
ダブルメスコネクタ１の製造方法に制限はない。但し、二色成形法によりダブルメスコネクタ１全体を一部品として一体的に形成することが好ましい。この方法は、ダブルメスコネクタ１の製造容易性、強度、耐久性を向上させるのに有利である。もちろん、第１挿入部１０とそれ以外の部分（即ち、第２挿入部２０及びフランジ３０）とを異なる材料を用いて別部品として作成した後、それらを接合してダブルメスコネクタ１を作成することもできる。別々に作成した部品を接合する方法としては、制限はないが、接着剤を用いる方法、融着する方法などを用いうる。
【００２９】
＜ダブルメスコネクタに接続される第１オスコネクタ＞
ダブルメスコネクタ１に接続される第１オスコネクタの一例を説明する。
【００３０】
図２Ａは、ダブルメスコネクタ１の第１挿入部１０に接続される第１オスコネクタ６の斜視図である。図２Ｂは、第１オスコネクタ６の中心軸を含む面に沿った断面図である。
【００３１】
第１オスコネクタ６は、一端に、第１挿入部１０に挿入される筒状の第１オスルアー６０を備える。第１オスルアー６０の外周面は、その先端に近づくにしたがって外径が小さくなるテーパ面６２である。
【００３２】
第１オスコネクタ６の他端は、柔軟なチューブ６９が接続される基端部６８である。基端部６８とチューブ６９との接続方法は、制限はないが、接着剤を使用する方法、熱融着による方法など、任意の方法を使用しうる。
【００３３】
第１オスコネクタ６の材料は、制限はないが、実質的に変形しないとみなしうる程度の高い剛性を有する硬質材料からなることが好ましい。例えば、ポリアセタール、ポリカーボネート、ポリスチレン、ポリアミド、ポリプロピレン、ポリエチレン、硬質ポリ塩化ビニル、ＡＢＳ（アクリル−ブタジエン−スチレン共重合体）等の樹脂材料を用いることができる。
【００３４】
第１オスコネクタ６及びチューブ６９は、経腸栄養療法に使用される栄養セットの一部を構成する。第１オスコネクタ６は、栄養セットの下流側端に設けられたオスコネクタである。チューブ６９の第１オスコネクタ６とは反対側端（上流側端）には、例えば栄養剤等の液状物を貯留した容器又はシリンジなどが接続される。
【００３５】
＜ダブルメスコネクタに接続される第２オスコネクタ＞
ダブルメスコネクタ１に接続される第２オスコネクタの一例を説明する。
【００３６】
図３Ａは、ダブルメスコネクタ１の第２挿入部２０に接続される第２オスコネクタ７の斜視図である。図３Ｂは、第２オスコネクタ７の中心軸を含む面に沿った断面図である。
【００３７】
第２オスコネクタ７は、一端に、第２挿入部２０に挿入される筒状の第２オスルアー７０を備える。第２オスルアー７０の外周面は、その先端に近づくにしたがって外径が小さくなるテーパ面７２である。第２オスルアー７０を取り囲むように、筒状部７５が設けられている。筒状部７５の内周面（第２オスルアー７０に対向する面）には雌ネジ７６が形成されている。テーパ面７２の形状（外径、テーパ角度など）及び雌ネジ７６の形状（径、ピッチなど）は、ＩＳＯ８０３６９−３のオスコネクタ（図５Ａ、図５Ｂ参照）に準拠している。
【００３８】
第２オスコネクタ７の他端は、柔軟なチューブ７９が接続される基端部７８である。基端部７８とチューブ７９との接続方法は、制限はないが、接着剤を使用する方法、熱融着による方法など、任意の方法を使用しうる。
【００３９】
第２オスコネクタ７の材料は、制限はないが、実質的に変形しないとみなしうる程度の高い剛性を有する硬質材料からなることが好ましい。例えば、ポリアセタール、ポリカーボネート、ポリスチレン、ポリアミド、ポリプロピレン、ポリエチレン、硬質ポリ塩化ビニル、ＡＢＳ（アクリル−ブタジエン−スチレン共重合体）等の樹脂材料を用いることができる。
【００４０】
第２オスコネクタ７及びチューブ７９は、経腸栄養療法に従来から使用されているＰＥＧカテーテルや経鼻カテーテルなどのカテーテルの一部を構成する。第２オスコネクタ７は、カテーテルの上流側端に設けられるオスコネクタである。チューブ７９の第２オスコネクタ７とは反対側端（下流側端）は、患者に挿入される。
【００４１】
＜ダブルメスコネクタの使用方法＞
図４Ａに示すように、ダブルメスコネクタ１は、栄養セットの下流側端に設けられた第１オスコネクタ６とカテーテルの上流側端に設けられた第２オスコネクタ７とをダブルメスコネクタ１を介して接続するために使用される。以下に、ダブルメスコネクタ１の使用方法を説明する。
【００４２】
最初に、ダブルメスコネクタ１と第２オスコネクタ７とを接続する。即ち、ダブルメスコネクタ１の第２挿入部２０に第２オスコネクタ７の第２オスルアー７０を挿入する。そして、第２オスコネクタ７に対してダブルメスコネクタ１を回転させて、ダブルメスコネクタ１の雄ネジ２６と第２オスコネクタ７の雌ネジ７６とを螺合させる。このとき、フランジ３０にてダブルメスコネクタ１を把持すると、螺合操作を容易に行うことができる。第２挿入部２０の第２テーパ面２２（図１Ｃ参照）の形状は、第２オスルアー７０のテーパ面７２（図３Ｂ参照）の形状と一致するので、第２テーパ面２２とテーパ面７２とは密着する。従って、雄ネジ２６と雌ネジ７６とをしっかりと螺合させることにより、図４Ｂに示すように、ダブルメスコネクタ１と第２オスコネクタ７とは液密に接続される。
【００４３】
次いで、ダブルメスコネクタ１の第１挿入部１０に第１オスコネクタ６の第１オスルアー６０を挿入する。第１挿入部１０はゴム弾性を有しているので、第１オスルアー６０が第１挿入部１０に挿入されるにしたがって、第１挿入部１０は第１オスルアー６０のテーパ面６２によって拡径され周方向に伸ばされる。図４Ｃに示すように、第１オスルアー６０を第１挿入部１０に十分に深く挿入すると、周方向に伸ばされた第１挿入部１０の弾性力により、第１挿入部１０は第１オスルアー６０のテーパ面６２に密着する。かくして、ダブルメスコネクタ１と第１オスコネクタ６とは液密に接続される。
【００４４】
上記とは逆に、最初にダブルメスコネクタ１と第１オスコネクタ６とを接続し、次いで、ダブルメスコネクタ１と第２オスコネクタ７とを接続してもよい。但し、この接続方法は、雄ネジ２６と雌ネジ７６とを螺合させることにより、図４Ｃに示すようにダブルメスコネクタ１を介して第１オスコネクタ６と第２オスコネクタ７とを接続した状態においてチューブ６９，７９に捩れを生じさせる可能性がある。
【００４５】
ダブルメスコネクタ１と第１オスコネクタ６及び第２オスコネクタ７との分離は、上記とは逆の操作を行うことにより可能である。
【００４６】
以上のように、本実施形態のダブルメスコネクタ１は、一端に、第１オスコネクタ６に対応した第１挿入部１０を備え、他端に、ＩＳＯ８０３６９−３に準拠した第２オスコネクタ７に対応した第２挿入部２０及び雄ネジ２６を備えている。従って、ＩＳＯ８０３６９−３に準拠していない従来のオスコネクタ６を下流側端に備えた栄養セットと、ＩＳＯ８０３６９−３に準拠したオスコネクタ７を上流側端に備えたカテーテルとを、ダブルメスコネクタ１を介して接続することができる。
【００４７】
ダブルメスコネクタ１と第１オスコネクタ６とは、第１オスコネクタ６とそれに適合した従来のメスコネクタとの接続と同等の液密性及び接続強度で接続される。
【００４８】
ダブルメスコネクタ１と第２オスコネクタ７とは、ＩＳＯ８０３６９−３に準拠して接続されるから、ＩＳＯ８０３６９−３のオスコネクタ９０１（図５Ａ、図５Ｂ参照）とメスコネクタ９０２（図６Ａ、図６Ｂ参照）との接続と同等の液密性及び接続強度で接続される。
【００４９】
第１挿入部１０がゴム弾性を有する軟質材料からなるので、第１挿入部１０に第１オスルアー６０を挿入したときに、第１挿入部１０は第１オスルアー６０（特にテーパ面６２）の形状に応じて適宜伸び変形する。これにより、第１挿入部１０の第１オスルアー１０に対する密着性が向上するので、第１挿入部１０と第１オスルアーとの接続の液密性及び接続強度が向上する。また、第１オスルアー６０に寸法誤差がある場合や、形状が異なる複数種類の第１オスルアー６０を接続する場合であっても、第１挿入部１０と第１オスルアー６０とを所望する液密性及び接続強度で接続することができる。また、図４Ｃの状態において、第１オスコネクタ６と第２オスコネクタ７との間に意図しない捩り力が加わった場合には、ゴム弾性を有する第１挿入部１０が捩れ変形してその捩り力を吸収する。従って、当該捩り力によって、雄ネジ２６と雌ネジ７６との螺合が緩む可能性が低減する。また、捩り力以外の外力（引っ張り力、曲げ力など）が加わった場合にもゴム弾性を有する第１挿入部１０が適宜変形して当該外力を吸収する。従って、ダブルメスコネクタ１、第１オスコネクタ６、及び、第２オスコネクタ７が破損する可能性が低減する。
【００５０】
一方、第２挿入部２０は、実質的に変形しない硬質材料からなるので、ダブルメスコネクタ１とＩＳＯ８０３６９−３に準拠した第２オスコネクタ７とを所望する液密性及び接続強度で接続することができる。
【００５１】
第１挿入部１０と第２挿入部２０との間にフランジ３０が形成されているので、ダブルメスコネクタ１をフランジ３０にて把持することができる。フランジ３０は、ダブルメスコネクタ１と第１オスコネクタ６との接続とその解除、及び、ダブルメスコネクタ１と第２オスコネクタ７との接続とその解除を行う際に有用である。フランジ３０は、第２挿入部２０と同じ硬質材料からなることが、フランジ３０を把持する観点から好ましい。
【００５２】
上記の実施形態では、第１挿入部１０はゴム弾性を有する軟質材料で構成され、第２挿入部２０（雄ネジ２６を含む）は硬質材料で構成されていたが、ダブルメスコネクタの全体をゴム弾性を有する軟質材料で作成することもできる。これにより、同一の材料を用いてダブルメスコネクタを一体的に作成することができるので、ダブルメスコネクタの製造が容易になる。
【００５３】
上記の実施形態では、第１挿入部１０と第２挿入部２０とが一体的に形成されていたが、例えば、第１挿入部１０と第２挿入部２０とが別部品として形成され、これらが柔軟なチューブを介して接続されていてもよい。
【００５４】
上記の実施形態では、第１オスコネクタ６が、栄養セットの下流側端に設けられたオスコネクタである場合を説明したが、本発明はこれに限定されない。例えば、第１オスコネクタ６がシリンジの外筒の口部であってもよい。この場合、第１オスルアー６０はシリンジの口部に設けられたオスルアーである。
【産業上の利用可能性】
【００５５】
本発明の利用分野は、制限はないが、従来から使用されているオスコネクタと、ＩＳＯ８０３６９−３に準拠したオスコネクタとを接続するためのコネクタとして利用することができる。上記の実施形態では、本発明を経腸栄養療法の分野で利用する場合を説明したが、経腸栄養療法以外の医療分野はもちろん、医療以外の分野（例えば食品、化学等の分野）においても利用することができる。
【符号の説明】
【００５６】
１  ダブルメスコネクタ
９  流路
１０  第１挿入部
１２  第１テーパ面
２０  第２挿入部
２２  第２テーパ面
２６  雄ネジ
６０  第１オスルアー
７０  第２オスルアー
【図１】
2015051094.tif 000003
【図２】
2015051094.tif 000004
【図３】
2015051094.tif 000005
【図４】
2015051094.tif 000006
【図５】
2015051094.tif 000007
【図６】
2015051094.tif 000008